(57)【特許請求の範囲】
【請求項１】
給排気用ブレードを主板に固定し回転軸を固定するためのハブを持ち、前記ブレードは平板状で、かつ矩形断面であり、かつ円周方向にある間隙を有し、ハブ取り付け側中心部よりハブ無し側外周側の斜流方向に設けた通風路と、ハブ無し側中心部よりハブ取り付け側外周側の斜流方向に設けた通風路を１段おきに形成されている斜流送風機形状とした給排同時ファン。
【請求項２】
給排気用ブレードを主板に固定し回転軸を固定するためのハブを持ち、前記ブレードは円周方向に前曲した曲板状で、かつ矩形断面であり、かつ円周方向にある間隙を有し、ハブ取り付け側中心部よりハブ無し側外周側の斜流方向に設けた通風路と、ハブ無し側中心部よりハブ取り付け側外周側の斜流方向に設けた通風路を１段おきに形成されている斜流送風機形状とした給排同時ファン。
【請求項３】
給排気用ブレードを主板に固定し回転軸を固定するためのハブを持ち、前記ブレードは軸方向の最大幅の径より外周部側で回転方向に前曲した平板状で、かつ円周方向にある間隙を有し、ハブ取り付け側中心部よりハブ無し側外周側の斜流方向に設けた通風路と、ハブ無し側中心部よりハブ取り付け側外周側の斜流方向に設けた通風路を１段おきに形成されている斜流送風機形状とした給排同時ファン。
【発明の詳細な説明】
【０００１】
【発明の属する技術分野】
本発明は、換気送風機器および空気調和機器に使用される給排同時ファンに関するものである。
【０００２】
【従来の技術】
従来、この種の給排同時ファンは、実公昭６３−１７９４８号公報、または実公平６−３３２３号公報に記載されているものが知られている。その給排同時ファンについて図７および図８を参照しながら説明する。
【０００３】
図７に示すように、電動機１０１と、この電動機１０１によって回転し、排気を行う軸流ファン１０２と、この軸流ファン１０２の外周を覆い一体となったベルマウス１０３と、このベルマウス１０３の手前に設置されたオリフィス１０４と、前記ベルマウス１０３の外側に遠心ファン１０５が設置されており、このベルマウス１０３の外側は箱体１０６によって囲まれ、箱体１０６部分に遠心ファン１０５の吸込用のオリフィス１０７が設置され、遠心ファン１０５の回転により給気が行われる構造となっている。
【０００４】
また、図８に示すように箱体１１１の中に１枚の壁１１２を隔てて上ブレ−ド１１３と下ブレ−ド１１４の一体となった遠心ファン１１５と、その遠心ファン１１５を回転させる電動機１１６とにより構成される。この遠心ファン１１５を回転することにより上ブレード１１３および下ブレード１１４が別々に給気と排気を行い、給気と排気の交錯する通路には静止した熱交換素子１１７が設置され、この熱交換素子１１７において顕熱および潜熱を交換している。
【０００５】
【発明が解決しようとする課題】
このような従来の給排同時ファンでは、給気と排気を行うファンのブレードが別となるため、送風経路が複雑になり本体が大きくなるという課題がある。
【０００６】
また、常時運転するため、電力消費を抑える必要があるという課題がある。
【０００７】
また、常時運転するため、深夜での騒音が大きいという課題がある。
【０００８】
また、給気と排気の空気漏れによる換気効率の低下があるという課題がある。
【０００９】
また、換気時の室内外温度差によるエネルギー損失が発生するという課題がある。
【００１０】
また、換気時の室内外温度差および湿度差のよるエネルギー損失が発生するという課題がある。
【００１１】
本発明は、このような従来の課題を解決するものであり、給気と排気を同一ブレードにより行い、送風経路を簡易化させ、給気と排気流れをいろんな方向に送風させ、小型化することができ、また換気効率を良くすることができ、また騒音低減を行うことができ、また、空気漏れの防止を行うことができ、また顕熱交換エネルギー損失を低減することができ、また全熱交換エネルギー損失を低減することができる給排同時ファンを提供することを目的とする。
【００１２】
【課題を解決するための手段】
本発明の給排同時ファンは、上記目的を達成するため、給排気用ブレードを主板に固定し回転軸を固定するためのハブを持ち、前記ブレードは平板状で、かつ矩形断面であり、かつ円周方向にある間隙を有して１段おきに風の出入口部を形成されている斜流送風機形状としたものである。
【００１３】
本発明によれば、給気と排気を同一ブレードにより行い、送風経路を簡易化させ、給気と排気流れのどちらも斜流方向に送風させ、小型化することができる給排同時ファンが得られる。
【００１４】
また、他の手段では、給排気用ブレードを主板に固定し回転軸を固定するためのハブを持ち、前記ブレードは円周方向に前曲した曲板状で、かつ矩形断面であり、かつ円周方向にある間隙を有して１段おきに風の出入口部を形成されている斜流送風機形状としたものである。
【００１５】
本発明によれば、給気と排気を同一ブレードにより行い、送風経路を簡易化させ、給気と排気流れのどちらも斜流方向に送風させ、小型化することができるとともに、ブレードは円周方向に前曲した形状をしているので同回転でより大風量で、かつ同風量でより低騒音の給排同時ファンが得られる。
【００１６】
また、他の手段では、給排気用ブレードを主板に固定し回転軸を固定するためのハブを持ち、前記ブレードは軸方向の最大幅の径より外周部側で回転方向に前曲した平板状で、かつ円周方向にある間隙を有して１段おきに風の出入口部を形成されている斜流送風機形状としたものである。
【００１７】
本発明によれば、給気と排気を同一ブレードにより行い、送風経路を簡易化させ、給気と排気流れのどちらも斜流方向に送風させ、小型化することができるとともに、ブレードは軸方向の最大幅の径より外周側で回転方向に前曲した平板状をしているので、全部曲率の付いたブレード形状より安価で製作でき、かつ同回転でより大風量で、かつ同風量でより低騒音の給排同時ファンが得られる。
【００１８】
また、他の手段では、電動機と給排気用ブレードを固定したハブをもつ羽根車と、この羽根車の周囲に、左から流入した気流は右方向に吐出し、右から流入した気流は左方向に吐出する軸方向流れを形成するケースを有する斜流送風機形状としたものである。
【００１９】
本発明によれば、給気と排気を同一ブレードにより行い、送風経路を簡易化させ、小型化することができるとともに、給気と排気流れのどちらも軸方向に送風させることができる給排同時ファンが得られる。
【００２０】
また、他の手段では、電動機と給排気用ブレードを固定したハブをもつ羽根車と、この羽根車の周囲に、左から流入した気流は右上方向に吐出し、右から流入した気流は左下方向に吐出する遠心方向流れを形成するケースを有する斜流送風機形状の給排同時ファンとしたものである。
【００２１】
本発明によれば、給気と排気を同一ブレードにより行い、送風経路を簡易化させ、小型化することができるとともに、左から流入した給気気流は、遠心流れで右上方向に吐出し、右から流入した排気気流は遠心流れで左下方向に吐出し、反対方向に吐出することができる給排同時ファンが得られる。
【００２２】
また、他の手段では、電動機と給排気用ブレードを固定したハブをもつ羽根車と、この羽根車の周囲に、左から流入した気流は右上または右下方向に、右から流入した気流は左上または左下方向に、左右同方向に吐出する遠心方向流れを形成するケースを有する斜流送風機形状の給排同時ファンとしたものである。
【００２３】
本発明によれば、給気と排気を同一ブレードにより行い、送風経路を簡易化させ、小型化することができるとともに、左から流入した給気気流は、遠心流れで右下方向に吐出し、右から流入した排気気流は遠心流れで左下方向に吐出し、同方向に吐出することができる給排同時ファンが得られる。
【００２４】
また、他の手段では、電動機と給排気用ブレードを固定したハブをもつ羽根車と、この羽根車の周囲に、左から流入した気流は右方向に吐出し、右から流入した気流は左上または左下方向に吐出し、遠心方向流れと軸方向流れとを形成するケースを有する斜流送風機形状の給排同時ファンとしたものである。
【００２５】
本発明によれば、給気と排気を同一ブレードにより行い、送風経路を簡易化させ、小型化することができるとともに、左から流入した給気気流は、軸方向流れで右方向に吐出し、右から流入した排気気流は遠心流れで左上または左下方向に吐出し、軸流流れと遠心流れで吐出することができる給排同時ファンが得られる。
【００２６】
また、他の手段では、排気吸込部と給気吐出部と排気吐出部と給気吸込部をそれぞれ回転体と静止部を分離部に毛状繊維を取り付けた給排同時ファンとしたものである。
【００２７】
本発明によれば、給気と排気を同一ブレードにより行い、送風経路を簡易化させ、小型化することができるとともに、給気通風路と排気通風路との間の圧力差で、気流が相互に逆流することを防止し、効率よく送風するとともに、同風量での騒音を上昇しない給排同時ファンが得られる。
【００２８】
また、他の手段では、ブレードの材質をアルミまたは樹脂製とし、給気流と排気流とで顕熱交換する給排同時ファンとしたものである。
【００２９】
本発明によれば、給気と排気を同一ブレードにより行い、送風経路を簡易化させ、小型化することができるとともに、顕熱エネルギー損失を低減することができる給排同時ファンが得られる。
【００３０】
また、他の手段では、ブレードの材質を紙またはフィルム製とし、給気流と排気流とで顕熱および潜熱交換をする給排同時ファンとしたものである。
【００３１】
本発明によれば、給気と排気を同一ブレードにより行い、送風経路を簡易化させ、小型化することができるとともに、全熱エネルギー損失を低減することができる給排同時ファンが得られる。
【００３２】
【発明の実施の形態】
本発明は、給排同時ファンの給排気用ブレードを主板に固定し回転軸を固定するためのハブを持ち、前記ブレードは平板状で、かつ矩形断面であり、かつ円周方向にある間隙を有して１段おきに風の出入口部を形成されている斜流送風機形状としたものである。
【００３３】
このようにすることで、一つの羽根車で給気と排気を同時に行うことができ、給気と排気に別々のブレードを必要としないため、送風経路を簡略にでき、小型の給排同時ファンが得られる。
【００３４】
また、給排気用ブレードを主板に固定し回転軸を固定するためのハブを持ち、前記ブレードは円周方向に前曲した曲板状で、かつ矩形断面であり、かつ円周方向にある間隙を有して１段おきに風の出入口部を形成されている斜流送風機形状としたものである。
【００３５】
また、給排気用ブレードを主板に固定し回転軸を固定するためのハブを持ち、前記ブレードは軸方向の最大幅の径より外周部側で回転方向に前曲した平板状で、かつ円周方向にある間隙を有して１段おきに風の出入口部を形成されている斜流送風機形状としたものである。
【００３６】
このようにすることで、小型になるのみでなく、ブレードを回転方向に対し、前傾させているので、出口角度が大きくなり、低回転で同風量を送風することができ低騒音とすることができる。
【００３７】
また、電動機と給排気用ブレードを固定したハブをもつ羽根車と、この羽根車の周囲に、左から流入した気流は右方向に吐出し、右から流入した気流は左方向に吐出する軸方向流れを形成するケースを有する斜流送風機形状とした給排同時ファンとしたものである。
【００３８】
また、電動機と給排気用ブレードを固定したハブをもつ羽根車と、この羽根車の周囲に、左から流入した気流は右上方向に吐出し、右から流入した気流は左下方向に吐出する遠心方向流れを形成するケースを有する斜流送風機形状の給排同時ファンとしたものである。
【００３９】
また、電動機と給排気用ブレードを固定したハブをもつ羽根車と、この羽根車の周囲に、左から流入した気流は右上または右下方向に、右から流入した気流は左上または左下方向に、左右同方向に吐出する遠心方向流れを形成するケースを有する斜流送風機形状の給排同時ファンとしたものである。
【００４０】
また、電動機と給排気用ブレードを固定したハブをもつ羽根車と、この羽根車の周囲に、左から流入した気流は右方向に吐出し、右から流入した気流は左上または左下方向に吐出し、遠心方向流れと軸方向流れとを形成するケースを有する斜流送風機形状の給排同時ファンとしたものである。
【００４１】
このようにすることで、小型にするのみでなく低騒音給気と排気の吐出方向を、任意の方向にすることができ、種々の商品に適した流れを作ることができる。
【００４２】
また、排気吸込部と給気吐出部と排気吐出部と給気吸込部をそれぞれ回転体と静止部を分離部に毛状繊維を取り付けた給排同時ファンとしたものである。
【００４３】
このようにすることで、小型にするのみでなく、給気と排気の流れ間の空気漏れを遮断するとともに、回転摩擦を極力上昇させなくすることができ、ファンとしての送風効率を上昇させることができる。
【００４４】
また、ブレードの材質をアルミまたは樹脂製とし、給気流と排気流とで顕熱交換する給排同時ファンとしたものである。
【００４５】
このようにすることで、小型にするのみでなく、給気と排気の温度差によるエンタルピを交換することで、顕熱交換ができることになる。
【００４６】
また、ブレードの材質を紙またはフィルム製とし、給気流と排気流とで顕熱および潜熱交換をする給排同時ファンとしたものである。
【００４７】
このようにすることで、小型にするのみでなく、給気と排気の温度差によるエンタルピを交換することで、顕熱および潜熱交換ができることになる。
【００４８】
以下、本発明の実施例について図面を参照しながら説明する。
【００４９】
【実施例】
（実施例１）
図１に示すように、本発明の第１の実施例の給排同時ファンは、給排気用ブレード１を主板２に固定し回転軸を固定するためのハブ３を持ち、前記ブレード１は平板状で、かつ矩形断面であり、かつ円周方向にある間隙を有して１段おきに風の出入口部を形成されている斜流送風機形状としたものである。ファンを回転させると、左吸込口４および右吸込口５より空気が流入し、吸い込まれた空気は各々右吐出口６および左吐出口７から吐出される。このとき、１段おきにある間隙を有して通風路が形成されているので、左右の吸気空気が混ざりあうことはない。これにより、給気と排気を同一ブレードにより行い、送風経路を簡易化させ、給気と排気流れのどちらも斜流方向に送風させ、小型化することができる給排同時ファンが得られる。
【００５０】
（実施例２）
実施例１と同じ部分は同じ番号とし詳細な説明は省略する。
【００５１】
図２に示すように実施例１に対して、ブレード８は円周方向に前曲した曲板状で、かつ矩形断面であり、かつ円周方向にある間隙を有して１段おきに風の出入口部を形成されている斜流送風機形状としたものである。ファンを回転させると、左吸込口４および右吸込口５より空気が流入し、吸い込まれた空気は各々右吐出口６および左吐出口７から吐出される。このとき、１段おきにある間隙を有して通風路が形成されているので、左右の吸気空気が混ざりあうことはない。またブレード８は、吐出側を回転方向に対し前傾させているので、より低回転で風量をだすことができる。
【００５２】
このようにすることで、小型になるのみでなく、ブレードを回転方向に対し、前傾させているので、出口角度が大きくなり、低回転で同風量を送風することができ低騒音とすることができる。
【００５３】
（実施例３）
実施例１と同じ部分は同じ番号とし詳細な説明は省略する。
【００５４】
図３に示すように、実施例１に対して、ブレード９は軸方向の最大幅の径より外周部側で回転方向に前曲した平板状で、かつ円周方向にある間隙を有して１段おきに風の出入口部を形成されている斜流送風機形状としたものである。
【００５５】
吸込空気の動きは、実施例１と同じだが、ブレード９の吐出側で前曲しており低回転で風量がでるのみでなく板状に曲折しているので安価につくることができる。このようにすることで、小型になるのみでなく、ブレードを回転方向に対し、平板状に前傾させているので、安価で、出口角度が大きくなり低回転で同風量を送風することができ低騒音とすることができる。
【００５６】
（実施例４）
実施例１と同じ部分は同じ番号とし詳細な説明は省略する。
【００５７】
図４に示すように、電動機１０と給排気用ブレード１を固定したハブ３をもつ羽根車と、この羽根車の周囲に、左から流入した気流は右方向に吐出し、右から流入した気流は左方向に吐出する軸方向流れを形成するケース１１を有する斜流送風機形状とした給排同時ファンとしたものである。このケース１１により軸流方向に給排気のできる送風機を形成することができる。
【００５８】
（実施例５）
実施例１と同じ部分は同じ番号とし詳細な説明は省略する。
【００５９】
図５に示すように、電動機１０と給排気用ブレード１を固定したハブ３をもつ羽根車と、この羽根車の周囲に、左から流入した気流は右上方向に吐出し、右から流入した気流は左下方向に吐出する遠心方向流れを形成するケースを有する斜流送風機形状の給排同時ファンとしたものである。左から流入した気流はスクロール型ケース１２で昇圧されたのち右上方向に、また右から流入した気流は、スクロール型ケース１３で昇圧されたのち左下方向に吐出される。このようにケース１２，１３により圧力の大きい給排気流を作ることができる。
【００６０】
（実施例６）
実施例１と同じ部分は同じ番号とし詳細な説明は省略する。
【００６１】
図６に示すように、電動機１０と給排気用ブレード１を固定したハブ３をもつ羽根車と、この羽根車の周囲に、左から流入した気流は右上または右下方向に、右から流入した気流は左上または左下方向に、左右同方向に吐出する遠心方向流れを形成するケースを有する斜流送風機形状の給排同時ファンとしたものである。左から流入した気流はスクロール型ケース１４で昇圧されたのち右上方向に、また右から流入した気流は、スクロール型ケース１５で昇圧されたのち左下方向に吐出される。このようにケース１４，１５により圧力の大きい給排気流を作ることができる。
【００６２】
（実施例７）
実施例１と同じ部分は同じ番号とし詳細な説明は省略する。
【００６３】
図７に示すように、電動機１０と給排気用ブレード１を固定したハブ３をもつ左から流入した気流は軸方向ケース１６で右方向に、また右から流入した気流は、スクロール型ケース１７で昇圧されたのち左下方向に吐出される。このようにケース１６，１７により圧力の大きい気流と圧力の低い気流を作ることができる。
【００６４】
また、電動機と給排気用ブレードを固定したハブをもつ羽根車と、この羽根車の周囲に、左から流入した気流は右方向に吐出し、右から流入した気流は左上または左下方向に吐出し、遠心方向流れと軸方向流れとを形成するケースを有する斜流送風機形状の給排同時ファンとしたものである。
【００６５】
このようにすることで、小型にするのみでなく低騒音でかつ給気と排気の吐出方向を、任意の方向にすることができ、種々の商品に適した流れを作ることができる。
【００６６】
（実施例８）
実施例１と同じ部分は同じ番号とし詳細な説明は省略する。
【００６７】
図８に示すように、排気吸込部と給気吐出部と排気吐出部と給気吸込部に、それぞれ回転体と静止部を分離するための毛状繊維１８が取り付けてあるので、毛状であるので摩擦損失が小さい状態で、空気の流れが混ざることを極力防止することができる。
【００６８】
このようにすることで、小型にするのみでなく、給気と排気および排気間との流れが混ざることを防止するとともに、回転摩擦を極力上昇させなくすることができ、ファンとしての送風効率を上昇させることができる。
【００６９】
（実施例９）
実施例１から８のファンにおいて、ブレードの材質をアルミまたは樹脂製とし、給気流と排気流とで顕熱交換する給排同時ファンとしたものである。
【００７０】
このようにすることで、小型にするのみでなく、給気と排気の温度差によるエンタルピを交換することで、顕熱交換ができることになる。
【００７１】
（実施例１０）
実施例１から８のファンにおいて、ブレードの材質を紙またはフィルム製とし、給気流と排気流とで顕熱および潜熱交換をする給排同時ファンとしたものである。
【００７２】
このようにすることで、小型にするのみでなく、給気と排気の温度差によるエンタルピを交換することで、顕熱および潜熱交換ができることになる。
【００７３】
【発明の効果】
以上の実施例から明らかなように、本発明によれば、このようにすることで、一つの羽根車で給気と排気を同時に行うことができ、給気と排気に別々のブレードを必要としないため、送風経路を簡略にでき、小型の給排同時ファンが得られる。
【００７４】
また、ブレードを回転方向に対し、前傾させているので、出口角度が大きくなり、低回転で同風量を送風することができ低騒音とすることができる。
【００７５】
また、給気と排気の吐出方向を、任意の方向にすることができ、種々の商品に適した流れを作ることができる。
【００７６】
また、給気と排気の温度差によるエンタルピを交換することで、顕熱または全熱交換ができることになる。
【図面の簡単な説明】
【図１】（ａ）本発明の実施例１の給排同時ファンの側断面図
（ｂ）同半切断した正面図
【図２】（ａ）本発明の実施例２の給排同時ファンの側断面図
（ｂ）同半切断した正面図
【図３】（ａ）本発明の実施例３の給排同時ファンの側断面図
（ｂ）同半切断した正面図
【図４】本発明の実施例４の給排同時ファンの構成図
【図５】本発明の実施例５の給排同時ファンの構成図
【図６】本発明の実施例６の給排同時ファンの構成図
【図７】本発明の実施例７の給排同時ファンの構成図
【図８】本発明の実施例８の給排同時ファンの構成図
【図９】従来の実施例の給排同時ファンの構成図
【図１０】従来の他の実施例の給排同時ファンの構成図
【符号の説明】
１    ブレード
２    主板
３    ハブ
４    左吸込口
５    右吸込口
６    右吐出口
７    左吐出口
８    ブレード
９    ブレード
１０  電動機
１１  ケース
１２  スクロール型ケース
１３  スクロール型ケース
１４  スクロール型ケース
１５  スクロール型ケース
１６  軸方向ケース
１７  スクロール型ケース
１８  毛状繊維
１０１  電動機
１０２  軸流ファン
１０３  ベルマウス
１０４  オリフィス
１０５  遠心ファン
１０６  箱体
１０７  オリフィス
１１１  箱体
１１２  壁
１１３  上ブレード
１１４  下ブレード
１１５  遠心ファン
１１６  電動機
１１７  熱交換素子
【図１】
0003558989.tif 000002
【図２】
0003558989.tif 000003
【図３】
0003558989.tif 000004
【図４】
0003558989.tif 000005
【図５】
0003558989.tif 000006
【図６】
0003558989.tif 000007
【図７】
0003558989.tif 000008
【図８】
0003558989.tif 000009
【図９】
0003558989.tif 000010
【図１０】
0003558989.tif 000011